(57)【要約】【課題】サーフィン、乗馬が備える動作状態をよりよく模倣することができるサーフィンマシンを提供する。【解決手段】サーフィンマシンは、座席板１、座席板フレーム２、ラック３、スイング装置４、ツイストバネ５を備える。座席板１は座席板フレーム２上に固定し、スイング装置４は上フライホイール４１、下フライホイール４２、Ｚ字型シャフト４３、小ベルトアクセル４４、ベルト４５により構成される。Ｚ字型シャフト４３は下シャフト４３１、上シャフト４３２、連接板４３３により構成される。下シャフト４３１と上シャフト４３２はそれぞれ連接板４３３の下平面と上平面に固定され、しかも下シャフト４３１と上シャフト４３２の軸線は斜めに交わる。【選択図】図１
0003153450.tif 000002
【実用新案登録請求の範囲】
【請求項１】
ラックと、
該ラックの前部に設置するツイストバネと、
座席板フレームと、
該座席板フレーム上に固定される座席板と、上フライホイール、下フライホイール、Ｚ字型シャフト、小ベルトアクセル、及びベルト連接板を含むスイング装置と、を備え、
前記Ｚ字型シャフトは、下シャフト、上シャフト、連接板により構成され、前記下シャフトと前記上シャフトは、それぞれ連接板の下平面と上平面上に固定し、前記下シャフトと前記上シャフトの軸線は、斜めに交わり、
前記上フライホイールは、前記ラックの上方に設置し、前記上フライホイールは、Ｚ字型シャフトの下シャフトにより、回転可能な状態で、前記ラック上に嵌設され、
前記座席板フレームの一端は、前記トランジションにより、回転可能な状態で、Ｚ字型シャフトの上シャフト上に嵌接され、前記座席板フレームの反対端は、その上に接続するスイングバーにより、スイング可能状態で、前記ラック上に接続され、
前記小ベルトアクセルのプーリーは、前記ラックの上方に位置し、前記小ベルトアクセルの軸部は、回転可能な状態で、前記ラック上に嵌設され、前記ラックを貫通し、前記下フライホイール中心孔は、小ベルトアクセルの軸部に嵌設され、前記ラック上に伸び出して、
前記ベルトは、上フライホイールと小ベルトアクセルのプーリーとの間を跨いで接続し、
前記ツイストバネが、前記スイングバー上に接触することにより前記座席板は、静態時には、常に高い位置を維持することを特徴とするサーフィンマシン。
【請求項２】
前記ラックの前部には、スイングバーシャフトを挿入して接続し、前記スイングバーの下端と前記ツイストバネの本体とは、前記スイングバーシャフト上に嵌設され、
前記ツイストバネの一端は、支点としてラックの前端に固定され、その反対端は、支点としてスイングバー上に接続され、前記スイングバーは上方へスイング可能となることを特徴とする請求項１に記載のサーフィンマシン。
【請求項３】
プレッシャーブロック、スイングバー、プルバーとストッパー板により構成されるベルト張力調節機構をさらに備え、
前記プレッシャーブロックは、ベルトの外側に位置し、ベルト上に接触し、
前記スイングバーの一端は、プレッシャーブロックの下端に連接し、前記スイングバーの反対端は、スイング可能な状態で、ラック上平面に接続するボルト上に嵌設され、
前記プルバーの一端は、プレッシャーブロック上に連接され、前記プルバーの反対端は、ストッパー板の孔を貫通して、ナットと螺接し、
ナットを回すことで、プルバーの有効な長さを調節可能であることを特徴とする請求項１に記載のサーフィンマシン。
【請求項４】
ハンドルをさらに備え、前記ハンドルの下端は、ラックの前端に固定して接続することを特徴とする請求項１に記載のサーフィンマシン。
【考案の詳細な説明】
【技術分野】
【０００１】
本考案はフィットネス器材に関し、特にサーフィンマシンに関する。
【背景技術】
【０００２】
フィットネス器材には、多くの種類がある。
主に上肢と下肢を鍛える伝統的なバーベル、ダンベル等の他に、腰部鍛錬の需要に応え、サーフィン、乗馬等の動作を模倣したフィットネス器材−サーフィンマシン、乗馬フィットネスマシンも開発されている。
しかし、従来のサーフィンマシン、乗馬マシンの多くは、電気機を駆動設備とするため、機構が複雑で、重く、しかも電力を消費し、使用上不便である。
本考案は、従来のサーフィンマシンの上記した欠点に鑑みてなされたものである。
【考案の概要】
【考案が解決しようとする課題】
【０００３】
本考案が解決しようとする課題は、構造が簡単で、使用が便利なサーフィンマシンを提供することである。
【課題を解決するための手段】
【０００４】
上記課題を解決するため、本考案は下記のサーフィンマシンを提供する。
サーフィンマシンは、座席板、座席板フレーム、ラック、スイング装置、ツイストバネを備える。座席板は、座席板フレーム上に固定され、スイング装置は、上フライホイール、下フライホイール、Ｚ字型シャフト、小ベルトアクセル、ベルトにより構成される。Ｚ字型シャフトは、下シャフト、上シャフト、連接板により構成される。下シャフトと上シャフトは、それぞれ連接板の下平面と上平面上に固定し、しかも下シャフトと上シャフトの軸線は、斜めに交わる。上フライホイールは、ラックの上方に設置され、Ｚ字型シャフトの下シャフトにより、回転可能状態で、ラック上に嵌設される。
座席板フレームの一端は、トランジションにより、回転可能状態で、Ｚ字型シャフトの上シャフト上に嵌接し、座席板フレームの反対端は、その上に接続するスイングバーにより、スイング可能状態で、ラック上に接続される。小ベルトアクセルのプーリーは、ラックの上方に位置し、小ベルトアクセルの軸部は、回転可能状態で、ラック上に嵌設し、しかもラックを貫通する。下フライホイール中心孔は、小ベルトアクセルの軸部に嵌設し、ラック上に伸び出て、ベルトは、上フライホイールと小ベルトアクセルのプーリーとの間を跨いで接続する。ツイストバネは、ラックの前部に設置し、しかもスイングバー上に接触し、これにより座席板は、静態時には、常に高い位置を維持する。ラックの前部には、スイングバーシャフトを挿入して接続し、スイングバーの下端とツイストバネの本体とは、スイングバーシャフト上に嵌設し、ツイストバネの一端は、支点としてラックの前端に固定し、その反対端は、支点としてスイングバー上に接続する。こうしてスイングバーは上方へとスイング可能となる。      
【０００５】
本考案は、さらにベルト張力調節機構を備える。それは、プレッシャーブロック、スイングバー、プルバーとストッパー板により構成される。プレッシャーブロックは、ベルトの外側に位置し、しかもベルト上に接触する。スイングバーの一端は、プレッシャーブロックの下端に連接し、スイングバーの反対端は、スイング可能状態で、ラック上平面に接続するボルト上に嵌設する。プルバーの一端は、プレッシャーブロック上に連接し、プルバーの反対端は、ストッパー板の孔を貫通し、ナットと螺接する。こうして、ナットを回すことで、プルバーの有効な長さを調節することができる。
【０００６】
本考案は、さらにハンドルを備え、ハンドルの下端は、ラックの前端に固定して接続する。
【考案の効果】
【０００７】
本考案は、一定の重量を備える上フライホイールと下フライホイールを設置するため、上フライホイールと下フライホイールの回転慣性を利用し、座席板の上下、左右の昇降、スイングを連動可能で、サーフィン、乗馬が備える動作状態をよりよく模倣することができる。
さらに、フライホイールの慣性駆動を利用し、電機駆動ではないため、電力が不要で、使用上の利便性が高い。
しかも、本考案の本体構造は、主に上フライホイールと下フライホイールにより構成するため、構造が比較的簡単である。
さらに、本考案は、ツイストバネを復位機構の動力源として採用するが、ツイストバネは、多数の伸縮後も弾性を喪失しにくいため、良好なリセット効果を備え、使用寿命も長い。
加えて、ツイストバネは、スイングバー下端のシャフト上に設置するため、本考案の構造をより堅固にし、外観をより美しくすることができる。
【図面の簡単な説明】
【０００８】
【図１】本考案の第一実施形態のサーフィンマシンの立体分解図である。
【図２】本考案の第一実施形態のサーフィンマシンの軸側投影図である。
【図３】本考案の第二実施形態のサーフィンマシンの軸側投影図である。
【考案を実施するための形態】
【０００９】
以下に図面を参照しながら本考案を実施するための最良の形態について詳細に説明する。
【００１０】
（第一実施形態）
図１、２に示すように、本実施形態のサーフィンマシンは、座席板１、座席板フレーム２、ラック３、スイング装置４、ツイストバネ５、スイングバー６、トランジション７、ベルト張力調節機構８、ハンドル９、殼体１０を備える。
【００１１】
座席板１は、座席板フレーム３上に固定し、ハンドル９下端は、ラック３の前端に固定して接続する。
【００１２】
スイング装置４は、上フライホイール４１、下フライホイール４２、Ｚ字型シャフト４３、小ベルトアクセル４４、ベルト４５を備える。
Ｚ字型シャフト４３は、下シャフト４３１、上シャフト４３２、連接板４３３により構成する。下シャフト４３１と上シャフト４３２は、それぞれ連接板４３３の下平面と上平面上に固定し、しかも下シャフト４３１と上シャフト４３２の軸線は、斜めに交わる。
上フライホイール４１は、ラック３の上方に設置し、上フライホイール４１は、Ｚ字型シャフト４３の下シャフト４３１により、回転可能状態で、ラック３上に嵌設される。
【００１３】
座席板フレーム２の一端は、トランジション７により、回転可能状態で、Ｚ字型シャフト４３の上シャフト４３２上に嵌接する。
座席板フレーム２の反対端は、ヒンジエキスパンションジョイント６２、ネジ６３により、スイングバー６上端と接続する。
【００１４】
スイングバー６下端は、スイングバーシャフト６１により、スイング可能状態で、ラック３上に接続される。
小ベルトアクセル４４のプーリー４４１は、ラック３の上方に位置し、小ベルトアクセル４４の軸部４４２は、回転可能状態で、ラック３上に嵌設し、しかもラック３を貫通する。
下フライホイール４２中心孔は、小ベルトアクセル４４の軸部４４２に嵌設し、ラック３上に伸び出る。
ベルト４５は、上フライホイール４１と小ベルトアクセル４４のプーリー４４１との間を跨いで接続する。
ラック３の前部には、スイングバーシャフト６１を挿入して接続する。
【００１５】
スイングバー６の下端とツイストバネ５の本体とは、スイングバーシャフト６１上に嵌設する。
ツイストバネ５の一端は、支点としてラック３の前端に固定し、その反対端は、支点としてスイングバー６上に接続する。
こうして、スイングバー６は上方へとスイング可能となり、これにより座席板１は、静態時には、常に高い位置を維持する。
【００１６】
ベルト張力調節機構８は、プレッシャーブロック８１、スイングバー８２、プルバー８３、ストッパー板８４を備える。
プレッシャーブロック８１は、ベルト４５の外側に位置し、しかもベルト４５上に接触する。
スイングバー８２の一端は、プレッシャーブロック８１の下端に連接し、スイングバー８２の反対端はスイング可能状態で、ラック３上平面に接続するボルト８５上に嵌設される。
プルバー８３の一端は、プレッシャーブロック８１上に連接し、プルバー８１の反対端は、ストッパー板８４の孔を貫通し、ナットと螺接する。
こうして、ナットを回すことで、プルバーの有効な長さを調節することができる。
殼体１０は、スイング装置４を包み、使用者がスイング装置４にぶつからないようにする。
【００１７】
次に、作動原理について説明する。
外力が座席板１上に作用すると、本実施形態の座席板１は回転可能状態で、Ｚ字型シャフト４３の上シャフト４３２上に設置され、Ｚ字型シャフト４３の下シャフト４３１は、回転可能状態で、ラック３上に嵌設される。
Ｚ字型シャフト４３の下シャフト４３１と上シャフト４３２の軸線は、斜めに交わるため、上フライホイール４１を連動し、その中心を囲んで回転する接線力を生じる。
接線力は、上フライホイール４１の回転を連動し、上フライホイール４１は回転し、またベルトにより、下フライホイール４２の回転を連動する。
こうして、上フライホイール４１、下フライホイール４２の回転慣性を利用し、座席板１の上下、左右の昇降、スイングを実現する。
【００１８】
（第二実施形態）
図３に示す本考案の第二実施形態において、上記した第一実施形態との差異は、ハンドル９を設置しない点で、他の構造は、第一実施形態と相同である。
【００１９】
上記の本考案の複数の実施形態の名称と内容は、本考案の技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案の要件である新規性を備え、従来の同類製品に比べ十分な進歩を有し、実用性が高く、社会のニーズに合致しており、産業上の利用価値は非常に大きい。
【符号の説明】
【００２１】
１：座席板、２：座席板フレーム、３：ラック、４：スイング装置、４１：上フライホイール、４２：下フライホイール、４３：Ｚ字型シャフト、４３１：下シャフト、４３２：上シャフト、４３３：連接板、４４：小ベルトアクセル、４４１：プーリー、４４２：軸部、４５：ベルト、５：ツイストバネ、６：スイングバー、６１：スイングバーシャフト、６２：ヒンジエキスパンションジョイント、６３：ネジ、７：トランジション、８：ベルト張力調節機構、８１：プレッシャーブロック、８２：スイングバー、８３：プルバー、８４：ストッパー板、９：ハンドル、１０：殼体
【図１】
0003153450.tif 000003
【図２】
0003153450.tif 000004
【図３】
0003153450.tif 000005